(57)【要約】【課題】  液晶表示素子の輝度むらを解消することができる液晶表示装置のバックライトを提供する。【解決手段】  液晶表示素子１１の背面に配置される矩形板状のプリズム１３と、前記プリズム１３における一対の対向辺にそれぞれ配置された発光部２０とを備え、前記各発光部２０が同一色の光源１５ａ（１５ｂ）をそれぞれ複数有する液晶表示装置のバックライト１０であって、前記各光源１５ａ（１５ｂ）が、前記プリズム１３の前記各対向辺において互いに対向しないように千鳥配置されている。【選択図】  図２
2006030898.tif 000002
【特許請求の範囲】
【請求項１】
液晶表示素子の背面に配置される矩形板状のプリズムと、
前記プリズムにおける一対の対向辺にそれぞれ配置された発光部とを備え、
前記各発光部が同一色の光源をそれぞれ複数有する液晶表示装置のバックライトであって、
前記各光源が、前記プリズムの前記各対向辺において互いに対向しないように千鳥配置されていることを特徴とする液晶表示装置のバックライト。
【請求項２】
前記各発光部が、色相の異なる第１光源および第２光源を有し、
前記各発光部における前記第１光源および前記第２光源が互いに対向しないように千鳥配置されていることを特徴とする請求項１に記載の液晶表示装置のバックライト。
【請求項３】
前記プリズムにおける他の一対の対向辺に前記第１光源および前記第２光源と異なる色相の同一色の光源が複数配置されていることを特徴とする請求項２に記載の液晶表示装置のバックライト。
【請求項４】
前記第１光源の色相が黄色であるとともに前記第２光源の色相が赤色であることを特徴とする請求項２又は請求項３に記載の液晶表示装置のバックライト。
【発明の詳細な説明】
【技術分野】
【０００１】
本発明は、液晶表示素子の背面に配置されて前記液晶表示素子に光を照射する液晶表示装置のバックライトに関する。
【背景技術】
【０００２】
従来のこの種の液晶表示装置のバックライトとしては、例えば図３に示すものが知られている（例えば特許文献１参照）。
この液晶表示装置のバックライトは、液晶表示素子１の背面に配置された矩形板状のプリズム３を備えており、このプリズム３の４つの辺にはそれぞれ発光部が配置されている。プリズム３の各辺の発光部はいずれも配線基板８等に取り付けられた赤色ＬＥＤ（光源）５ａ、青色ＬＥＤ（光源）５ｂ、緑色ＬＥＤ（光源）５ｃ及び白色ＬＥＤ（光源）５ｄを備えており、図示しないコントローラによって点灯が制御されることで、各ＬＥＤから発光された光がプリズム３に導かれてこのプリズム３が全面的に発光し、これにより、液晶表示素子１に光が照射されてバックライトとして機能する。
【特許文献１】特開２００２−３５０８４６号公報
【発明の開示】
【発明が解決しようとする課題】
【０００３】
しかしながら、上記特許文献１に記載の液晶表示装置のバックライトにおいては、プリズム３の各辺の発光部がいずれも赤色ＬＥＤ５ａ、青色ＬＥＤ５ｂ、緑色ＬＥＤ５ｃ及び白色ＬＥＤ５ｄを備えているため、例えばコントローラで赤色ＬＥＤ５ａを点灯制御した場合には、図３の液晶表示素子１の左上の２個の赤色ＬＥＤ５ａの点灯領域が最も明るく、次に、右上及び右下の２個の赤色ＬＥＤ５ａの点灯領域が明るく、赤色ＬＥＤ５ａが配置されない左下の領域が比較的暗くなり、液晶表示素子１に輝度むらが生じるとともに大型サイズの液晶表示素子では輝度が不足してしまう虞れがある。
【０００４】
本発明は、前述した問題点に鑑みてなされたものであり、その目的は、液晶表示素子の輝度むらを解消することができる液晶表示装置のバックライトを提供することにある。
【課題を解決するための手段】
【０００５】
１）前述した目的を達成するために、本発明は、液晶表示素子の背面に配置される矩形板状のプリズムと、前記プリズムにおける一対の対向辺にそれぞれ配置された発光部とを備え、前記各発光部が同一色の光源をそれぞれ複数有する液晶表示装置のバックライトであって、前記各光源が、前記プリズムの前記各対向辺において互いに対向しないように千鳥配置されていることを特徴としている。
【０００６】
このように構成された液晶表示装置のバックライトにおいては、プリズムにおける一対の対向辺にそれぞれ配置された同一色の複数の光源がプリズムの前記各対向辺において互いに対向しないように千鳥配置されているので、液晶表示素子の輝度むらを解消することができる。
【０００７】
２）また、本発明は、前記各発光部が、色相の異なる第１光源および第２光源を有し、前記各発光部における前記第１光源および前記第２光源が互いに対向しないように千鳥配置されていることを特徴としている。
【０００８】
このように構成された液晶表示装置のバックライトにおいては、各発光部における前記第１光源および前記第２光源が互いに対向しないように千鳥配置されているので、一対の対向辺の内の一方又は他方の辺に配置された第１光源と他方又は一方の辺に配置された第２光源とが互いに対向するように配置されることになり、これにより、色相の異なる第１光源と第２光源の光が混合されて中間色を含むカラーに対応することができる。
【０００９】
３）更に、本発明は、前記プリズムにおける他の一対の対向辺に前記第１光源および第２光源と異なる色相の同一色の光源が複数配置されていることを特徴としている。
【００１０】
このように構成された液晶表示装置のバックライトにおいては、プリズムにおける他の一対の対向辺に前記第１光源および前記第２光源と異なる色相の同一色の光源を複数配置することで、追加の一色を含めた三色により色のバリエーションを拡大できるとともに、輝度ムラを低減できる。
【００１１】
４）更に、前記第１光源の色相が黄色であるとともに前記第２光源の色相が赤色であることを特徴としている。
このように構成された液晶表示装置のバックライトにおいては、第１光源および第２光源をそれぞれ暖色系（例えば赤および黄）か、あるいは寒色系（例えば青および緑）とすることにより色調の変更が容易となる。
【発明の効果】
【００１２】
本発明によれば、プリズムにおける一対の対向辺にそれぞれ配置された同一色の複数の光源をプリズムの前記各対向辺において互いに対向しないように千鳥配置することで、液晶表示素子の輝度むらを解消することができるとともに、大型サイズの液晶表示素子での輝度不足を解消することができる。
【発明を実施するための最良の形態】
【００１３】
以下、本発明に係る実施形態を図面に基づいて詳細に説明する。図１は本発明に係る実施形態である液晶表示装置のバックライトを説明するための分解斜視図、図２は各光源の配置例を示す平面図である。
【００１４】
図１に示すように、本発明の実施形態である液晶表示装置のバックライト１０は、液晶表示素子１１の背面に配置された矩形板状のプリズム１３を備えており、液晶表示素子１１とプリズム１３との間にはＢＦＥ１２及び拡散板１４が配置され、液相表示素子１１の前面にはベゼル１６が配置されている。また、プリズム１３の背面には反射板１７及びホルダー１９が配置されている。
【００１５】
プリズム１３の長辺側の一対の対向辺にはそれぞれ発光部２０が配置されており、各辺の発光部２０は、図２に示すように、いずれも配線基板１８等に取り付けられた複数の黄色ＬＥＤ（第１光源）１５ａ及び赤色ＬＥＤ（第２光源）１５ｂを備えている。
【００１６】
プリズム１３の長辺側の一対の対向辺の内の一方又は他方の辺に配置された複数の黄色ＬＥＤ１５ａと他方又は一方の辺に配置された複数の赤色ＬＥＤ１５ｂとは各対向辺間で互いに対向するように配置されており、これにより、黄色ＬＥＤ１５ａと赤色ＬＥＤ１５ｂとが前記各対向辺において互いに対向しないように千鳥配置されている。
また、プリズム１３の短辺側の一対の対向辺にはそれぞれ配線基板１８等に取り付けられた複数の白色ＬＥＤ（光源）１５ｃが配置されている。
【００１７】
そして、各ＬＥＤ１５ａ〜１５ｃが図示しないコントローラによって点灯が制御されることで、各ＬＥＤ１５ａ〜１５ｃから発光された光がプリズム１３に導かれてこのプリズム１３が全面的に発光し、これにより、液晶表示素子１１に光が照射されてバックライトとして機能する。
【００１８】
前述した液晶表示装置のバックライト１０によれば、プリズム１３における長辺側の一対の対向辺にそれぞれ配置された複数の黄色ＬＥＤ１５ａ及び赤色ＬＥＤ１５ｂがプリズム１３の前記各対向辺において互いに対向しないように千鳥配置されているので、光源から発光された光がバックライト１０の全面で略均等に照射され、これにより、液晶表示素子１１の輝度むらを解消することができる。
【００１９】
また、各発光部２０が、色相の異なる黄色ＬＥＤ１５ａ及び赤色ＬＥＤ１５ｂを有し、各発光部２０における黄色ＬＥＤ１５ａ及び赤色ＬＥＤ１５ｂが互いに対向しないように千鳥配置されているので、黄色ＬＥＤ１５ａ及び赤色ＬＥＤ１５ｂの光が混合されることで中間色を含むカラーに対応することができる。
【００２０】
更に、プリズム１３における短辺側の一対の対向辺に黄色ＬＥＤ１５ａ及び赤色ＬＥＤ１５ｂと異なる色相の同一色の白色ＬＥＤ（光源）１５が複数配置されているので、追加の一色を含めた三色により色のバリエーションを拡大できるとともに、輝度ムラを低減できる。
【００２１】
更に、プリズム１３における長辺側の一対の対向辺に黄色ＬＥＤ１５ａ及び赤色ＬＥＤ１５ｂを配置している。換言すればプリズム１３における長辺側の一対の対向辺に暖色系の黄色ＬＥＤ１５ａ及び赤色ＬＥＤ１５ｂが配置されているため、液晶表示装置の色調の変更が容易となる。
なお、プリズム１３における長辺側の一対の対向辺に、それぞれ寒色系（例えば青および緑）のＬＥＤを配置しても液晶表示装置の色調の変更が容易となる。
【００２２】
なお、本発明の液晶表示装置のバックライト１０は、前述した実施形態に限定されるものでなく、適宜な変形，改良等が可能である。
例えば、前述した実施形態において、各ＬＥＤ１５ａ〜１５ｃを配線基板１８に取り付けた場合を例に採ったが、必ずしもこのようにする必要はなく、各ＬＥＤ１５ａ〜１５ｃをプリズム１３の各辺に取り付けてもよい。
【００２３】
また、前述した実施形態では、光源としてＬＥＤを採用したが、ＬＥＤに代えて蛍光灯等を用いてもよい。
その他、前述した実施形態において例示した液晶表示素子、プリズム、発光部、光源、第１光源、第２光源等の材質，形状，寸法，形態，数，配置個所等は本発明を達成できるものであれば任意であり、限定されない。
【図面の簡単な説明】
【００２４】
【図１】本発明に係る実施形態である液晶表示装置のバックライトを説明するための分解斜視図である。
【図２】各光源の配置例を示す平面図である。
【図３】従来の液晶表示装置のバックライトを説明するための図である。
【符号の説明】
【００２５】
１０  液晶表示装置のバックライト
１１  液晶表示素子
１３  プリズム
１５ａ  黄色ＬＥＤ（第２光源）
１５ｂ  赤色ＬＥＤ（第１光源）
１５ｃ  白色ＬＥＤ（光源）
【図１】
2006030898.tif 000003
【図２】
2006030898.tif 000004
【図３】
2006030898.tif 000005